(57)【要約】【課題】  手用電極が手から離されたことが検出された後に、表示装置に測定結果を表示すると共に被験者による表示の操作を可能とする測定装置を提供する。【解決手段】  右手または左手の内、少なくとも一方が前記手用電極に接触しているか否かを判定する接触判定手段を備え、表示装置は、前記接触判定手段で接触していないと判定された場合に、前記測定結果を表示することから、手用電極を把持している間は測定結果が表示されないため、被験者が手用電極を離し忘れたまま、表示の切り替えなどの前記入力装置による操作をしてしまうことがなく、また手用電極と入力装置などがぶつかることも無いため、入力装置や電極が傷付くのを防止できる。【選択図】          図１
2006198061.tif 000002
【特許請求の範囲】
【請求項１】
右手または左手で把持することにより生体に接触させる手用電極を含む複数の電極と、前記電極に電流を流す電流供給装置と、前記電極の電圧を測定する電圧測定装置と、測定結果を表示する表示装置と、手で入力操作を行なう入力装置とを備えた生体測定装置において、
前記右手または左手の内、少なくとも一方が前記手用電極に接触しているか否かを判定する接触判定手段を備え、
前記表示装置は、前記接触判定手段で接触していないと判定された場合に、前記測定結果を表示することを特徴とする生体測定装置。
【請求項２】
前記接触判定手段は、少なくとも右手又は左手の内一方と他の生体部位とに接触する電極間の導通から接触を判定することを特徴とする請求項１記載の生体測定装置。
【請求項３】
前記接触判定手段は、利き腕を判定する利き腕判定手段を備え、前記接触判定手段は前記利き腕と判定された手と手用電極とが接触しているか否かを判定することを特徴とする請求項１記載の生体測定装置。
【請求項４】
前記利き腕判定手段は、左右の手の筋肉量に基づいて利き腕を判定することを特徴とする請求項３記載の生体測定装置。
【請求項５】
前記入力装置はタッチパネルであることを特徴とする請求項１記載の生体測定装置。
【発明の詳細な説明】
【技術分野】
【０００１】
本発明は、生体の各部位の状態を測定する生体測定装置に関する。
【背景技術】
【０００２】
従来、生体各部位を順次切替えて測定し、前記各部位毎の測定結果を表示する生体測定装置が知られている。この装置は、各部位の測定終了と共に、両手で各々把持することにより接触させる各手用電極から手を離し、前記手用電極を所定の位置に置くように被験者に報知した後、表示装置において前記各部位毎の測定結果を表示するものである。このとき被験者は、例えば手元の操作ボタンやタッチパネルを直接指で操作しながら、所望の表示に切り替えることができるものである（例えば、特許文献１参照）。
【特許文献１】特開２００１−１７８６９６号公報
【発明の開示】
【発明が解決しようとする課題】
【０００３】
しかしながら、前記生体測定装置では、測定終了と共に手用電極を手から離すための報知に被験者が気付かなかった場合など、被験者が手用電極を持ったまま、前記表示装置には前記測定結果が表示される。このとき、前述のように所望の表示に切り替えるため、被験者は前記手用電極を持ったままで、手元の操作ボタンやタッチパネルを指で操作してしまう場合があるため、手用電極が操作ボタンやタッチパネルにぶつかり傷つけてしまう可能性があり、手用電極自体も傷つき測定誤差の原因となってしまう可能性があった。また、何より被験者にとっては手用電極が邪魔で操作がしづらい装置であるかのような印象を与えるものであった。
【０００４】
本発明は、上述の従来技術の問題点を解決し、手用電極が手から離されたことが検出された後に、表示装置に測定結果を表示すると共に被験者による表示の操作を可能とする測定装置を提供するものである。
【課題を解決するための手段】
【０００５】
本発明によれば、右手または左手で把持することにより生体に接触させる手用電極を含む複数の電極と、前記電極に電流を流す電流供給装置と、前記電極の電圧を測定する電圧測定装置と、測定結果を表示する表示装置と、手で入力操作を行なう入力装置とを備えた生体測定装置において、前記右手または左手の内、少なくとも一方が前記手用電極に接触しているか否かを判定する接触判定手段を備え、前記表示装置は、前記接触判定手段で接触していないと判定された場合に、前記測定結果を表示する生体測定装置が提供される。
【０００６】
また、前記接触判定手段は、少なくとも右手又は左手の内一方と他の生体部位とに接触する電極間の導通から接触を判定するものである。
【０００７】
また、前記接触判定手段は、利き腕を判定する利き腕判定手段を備え、前記接触判定手段は前記利き腕と判定された手と手用電極とが接触しているか否かを判定するものである。
【０００８】
また、前記利き腕判定手段は、左右の手の筋肉量に基づいて利き腕を判定する。
【０００９】
さらに、前記入力装置はタッチパネルである。
【発明の効果】
【００１０】
本発明の生体測定装置は、右手または左手で把持することにより生体に接触させる手用電極を含む複数の電極と、前記電極に電流を流す電流供給装置と、前記電極の電圧を測定する電圧測定装置と、測定結果を表示する表示装置と、手で入力操作を行なう入力装置とを備えた生体測定装置において、前記右手または左手の内、少なくとも一方が前記手用電極に接触しているか否かを判定する接触判定手段を備え、前記表示装置は、前記接触判定手段で接触していないと判定された場合に、前記測定結果を表示することから、手用電極を把持している間は測定結果が表示されないため、被験者が手用電極を離し忘れたまま、表示の切り替えなどの前記入力装置による操作をしてしまうことがなく、また手用電極と入力装置などがぶつかることも無いため、入力装置や電極が傷付くのを防止できる。
【００１１】
また、前記入力装置がタッチパネルであった場合、タッチパネルは傷や衝撃に弱いものが多く比較的高価であるため、前述のような入力装置や電極が傷付くのを防止する効果が、管理上においてもコスト的にもより顕著に得られる。
【００１２】
また、前記接触判定手段は、少なくとも右手又は左手の内一方と他の生体部位とに接触する電極間の導通から接触を判定することにより、自動で判定されるものであり、判定のために特別な操作を要することなく従来どおり簡便な測定が可能である。
【００１３】
また、前記接触判定手段は、利き腕を判定する利き腕判定手段を備え、前記接触判定手段は前記利き腕と判定された手と手用電極とが接触しているか否かを判定し、また、前記利き腕判定手段は、左右の手の筋肉量に基づいて利き腕を判定するものであることから、一般に前記入力装置による操作する確立の高い方の手が利き腕であると考えられるため、操作する方の手が空いたらすぐに結果表示がなされ、より早いタイミングでスムーズな操作が可能である。
【実施例１】
【００１４】
実施例について、図面を用いて説明すると、図１は測定装置の斜視図で、測定装置１は、概略Ｌ型の形状をしており、下部に体重計２を設け。この体重計２は、公知のものであり、被験者の体重を測定するために載る載台面２ａに左右の足の底面に接する電極部３、４を設けてある。この電極部３、４は、電流を流すための電極３ａ、４ａと、電圧を測定する電極３ｂ、４ｂとから構成される。また測定装置１の前面には、電源スイッチ５と、印刷装置６とを設ける。さらに、測定装置１の上部には、タッチパネル式の液晶表示装置からなる表示兼入力装置７を設け、上部左右側面に左右の手用の電極部８、９とを設ける。この手用電極部８、９は、電流を流すための電極８ａ、９ａと、電圧を測定する電極８ｂ、９ｂとから構成されるが、この手用電極は既に手式の体脂肪計で公知であるので説明を省略する。
【００１５】
図２は、測定装置１の電気ブロック図であり、左右の手足に接する電極３ａ、３ｂ、４ａ、４ｂ、８ａ、８ｂ、９ａ、９ｂの８電極が電極切替装置１０に接続されている。この電極切替装置１０は、電流供給装置１１と、電圧測定装置１２とを介して制御装置１３に接続される。この制御装置１３は、マイクロコンピュータを備え、各種データ等を記憶する記憶装置１４を接続している。また、図１で示した表示兼入力装置７は電気回路的には内部に入力装置１５と表示装置１６とを備えており、これらを制御する入出力制御装置１７を介して制御装置１３に接続している。１８は、制御装置１３やその他の装置に電力を供給する電源装置である。更に、前記制御装置１３に備えたマイクロコンピュータは、前記手用電極部８及び９が両手に接触しているか否かを導通により判定する接触判定手段である接触判定部を兼ねるものである。
【００１６】
次に図３、図４、図５のフローチャート及び図６、図７、図８、図９、図１０の表示画面を用いて、本測定装置１の動作を説明する。まず、測定装置１の電源スイッチ５をオンすると、ステップＳ１で全ての電気装置が初期設定され、ステップＳ２で図６ａで示す着衣量の入力モードに進む。このモードでは、着衣の重さを入力してもらうメッセージ表示と着衣量を入力する入力キーボードを表示装置１６に表示する。そして入力キーボードの数値キーで被験者の着衣量、例えば１．５ｋｇを表示部の表面から指で入力すると、図６（ｂ）で示すように表示されるので、進むのキーを押すと、ステップＳ３に進む。この時に入力した値が間違った場合には、消去キーで全ての入力して数値を消すか、Ｂａｃｋキーで直前に入力した数値を一つづつ消して再入力する。
【００１７】
ステップＳ３は、体重を測定するモードであり、図６（ｃ）で示すように被験者が体重計２の載台面２ａ上に素足で載ることを促すとともに、ステップＳ２で入力した着衣量を予め減算するようにマイナス表示として表してある。そして、被験者が載台面２ａに載ると、体重計２で体重が測定され、図６（ｄ）で示すように体重の数値を表示するとともに、ステップＳ４に進むようにメッセージも表示する。ここで進むを押すと、図６（ｅ）で示すように体格及び性別を入力できるので、例えば「スタンダード・男」を押し、進むを押すとステップＳ５に進む。ステップＳ５は、年令を入力するものであり、図６（ｆ）で示すように数値キーにより被験者の年令を入力し、進むを押すとステップＳ６に進む。ステップＳ６は、身長を入力するものであり、図７（ａ）で示すように数値キーにより被験者の身長を入力し、進むを押す。これにより、ステップＳ７に進み、ステップＳ３からステップＳ６で測定及び入力した被験者のデータと共にデータ確認用メッセージが表示装置１６に表示される（図７（ｂ））。ここでステップＳ８において戻るか中止のキーを押すと、ステップＳ２に戻り入力及び測定を始めからやり直すことになる。また、開始のキーを押すと、ステップＳ９に進み被験者の各部位の測定を始めるために、ここでは図示しないが、手用電極部８及び９を各々左手及び右手で把持し、測定姿勢に入るように表示兼入力装置７に指示を表示し、以降のステップＳ１０からステップＳ１８までの各部位の測定及び表示ステップに移行する。
【００１８】
ステップＳ１０は、制御装置１３の指示で電極切替装置１０を切え替ることにより、電極３ａ、４ａ間に電流供給装置１１から交流電流が供給され、電極３ｂ、４ｂで電圧測定装置１２により電圧が測定される。この測定電圧は制御装置１３により電気インピーダンスが演算され、図７（ｃ）で示すように表示装置１６に被験者の全身モデルの図と測定部位、この場合電流供給部１１からの電流が供給される部位である両足に黒丸で表示するとともに、電圧測定部位である両足に白丸を表示し、電圧測定部位である両足間の白丸を点線で表示すると共に、電気インピーダンスも表示する。このように電流を供給する部位と測定部位とを表示することにより、被験者に安心感を与えることができ、さらに時間経過を意識させないものである。この測定が終了すると、ステップＳ１１に進む。以下同様に、ステップＳ１１では、両手間を測定するもので、電極８ａ、９ａ間に電流を流し、電極８ｂ、９ｂ間で電圧を測定する。その結果は図７（ｄ）で両手に電流供給の黒丸と電圧測定の白丸と両手間に測定部位を示す点線を表示する。ステップＳ１２では、右手右足間を測定するもので、電極４ａ、９ａ間に電流を流し、電極４ｂ、９ｂ間で電圧を測定する。その結果は図７（ｅ）で上述と同様に示す。ステップＳ１３では、左手左足間を測定するもので、電極８ａ、３ａ間に電流を流し、電極８ｂ、３ｂ間で電圧を測定する。その結果は図７（ｆ）で上述と同様に示す。
【００１９】
ステップＳ１４では、右足を測定するもので、電極９ａ、４ａ間に電流を流し、電極３ｂ、４ｂ間で電圧を測定する。その結果は図８（ａ）で示す。この場合、電流は黒丸で示す通り両足間に流し、白丸及び点線で示すように右手足間で電圧を測定することにより、右足部分の電圧が測定できるため、右足部分の電圧を電流で割ることによりインピーダンスが演算できる。ステップＳ１５では、左足を測定するもので、電極８ａ、３ａ間に電流を流し、電極３ｂ、４ｂ間で電圧を測定する。その結果は図８（ｂ）で示す。この場合、電流は黒丸で示す通り両足間に流し、白丸及び点線で示すように左手足間で電圧を測定することにより、左足部分の電圧が測定できるため、左足部分の電圧を電流で割ることによりインピーダンスが演算できる。ステップＳ１６では、右手を測定するもので、電極９ａ、４ａ間に電流を流し、電極８ｂ、９ｂ間で電圧を測定する。その結果は図８（ｃ）で示す。この場合、電流は黒丸で示す通り両手間に流し、白丸及び点線で示すように右手足間で電圧を測定することにより、右手部分の電圧が測定できるため、右手部分の電圧を電流で割ることによりインピーダンスが演算できる。ステップＳ１７では、左手を測定するもので、電極８ａ、３ａ間に電流を流し、電極８ｂ、９ｂ間で電圧を測定する。その結果は図８（ｄ）で示す。この場合、電流は黒丸で示す通り両手間に流し、白丸及び点線で示すように左手足間で電圧を測定することにより、左手部分の電圧が測定できるため、左手部分の電圧を電流で割ることによりインピーダンスが演算できる。ステップＳ１８では、体幹間を測定するもので、電極９ａ、４ａ間に電流を流し、電極８ｂ、３ｂ間で電圧を測定する。その結果は図８（ｅ）で示す。この場合、電流は黒丸で示す通り左手足間に流し、白丸及び点線で示すように右手足間で電圧を測定することにより、体幹部分の電圧が測定できるため、体幹部分の電圧を電流で割ることによりインピーダンスが演算できる。
【００２０】
このように各部位の測定が終了すると、ステップＳ１９において、図８（ｆ）に示すように、測定終了を示す表示と、前記手用電極部８及び９を両手から離し元の位置に戻すように指示する表示とを前記表示兼入力装置７に表示する。このとき、測定終了と前記指示とを音声により報知しても良い。また前記指示と共に、測定装置１の前記手用電極８及び９を戻す位置にＬＣＤなどの発光体を設け、ＬＣＤを点滅させるなどして被験者が気付きやすくすることも可能である。
【００２１】
前記表示と共に、前記手用電極部８及び９間に、前記ステップＳ１１の両手間測定と同様にして、電極８ａ及び９ａ間に電流を印加し、電極８ｂ及び９ｂ間で電圧を測定する。続くステップＳ２０において、両手間の導通を判定する。すなわち、前記測定された電圧値が、予め設定されてある、生体を測定していると見なされる電圧の範囲内で安定して測定されているか否かを、前記制御装置１３内の接触判定部を兼ねるマイクロコンピュータにおいて判定する。
【００２２】
前記電圧値が前記範囲内で安定して検出された場合は、手用電極部８及び９を持ったままであると判定しＹＥＳに進み、前記ステップＳ１９で示した表示及び電圧測定を繰り返す。また、電圧値が前記生体を測定していると見なされる電圧の範囲外であって導通が無くなったと判定された場合、前記表示兼入力装置７に表示した指示通り、手用電極部８及び９は元の位置に戻され両手から離されていると判断されＮＯに進み、ステップＳ２１において、制御装置１３により入出力制御装置１７を介して表示装置１６を制御し、表示兼入力装置７に測定結果を表示する。
【００２３】
前記測定結果の表示に関しては図４を用いて後述するが、前記表示兼入力装置７は前述したようにタッチパネル式の液晶表示装置であり、表示パネルを直接指で触れることにより表示内容を切り替えることができるものである。このとき、前記制御装置１３内の接触判定部により、手用電極８及び９が両手で把持されていないことが確認された後に、測定結果表示がなされることから、後述する表示内容の切り替え操作時に前記手用電極８及び９が邪魔になることなく、また、表示兼入力装置７と手用電極８及び９とがぶつかることなく、被験者にとって快適な操作が可能となる。
【００２４】
また、前記両手間の導通の判定においては、片手のみ電極を離した場合でも導通はなくなるが、この場合、常識的には電極を離した方の手で前記タッチパネルを操作すると考えられるため、常識的な範囲での使用においても問題ない。
【００２５】
測定結果表示がなされると、ステップＳ２２で後述の印刷キーが押されたかを判断し、押されなければステップＳ２に戻り、押されればステップＳ２３で印刷装置６により印刷が行われ、ステップＳ２に戻る。
【００２６】
次に図４を用いて、ステップＳ２１の測定結果表示のサブルーチンを説明するに、ステップＳ３０で制御装置１３の内部の表示カウンタを「０」にし、ステップＳ３１で後述の表示切替キーが押されたかを判断するが、最初はＮｏと判断されステップＳ３３に進む。ステップＳ３３では表示カウンタがステップＳ３０で「０」にセットされているのでＹｅｓと判断され、ステップＳ３４に進み、図９（ａ）で示すように体重、全身体脂肪率、除脂肪量、各部位のインピーダンス、部分体脂肪率、部分体脂肪量、部分筋肉量を表形式で表示装置１６に表示する。ここで印刷キーを押すと、ステップＳ３５でＹｅｓと判断され、このサブルーチンを抜けて、図３のステップＳ２２に進んでステップＳ２３で印刷が行われる。印刷キーが押されなければ、ステップＳ３６に進み、表示終了キーの判断を行い、表示終了キーが押されなければステップＳ３１に戻り、押されればこのサブルーチンを抜ける。
【００２７】
この数値表示中に表示切替キーが押されると、ステップＳ３１でＹｅｓと判断され、ステップＳ３２で表示カウンタを「１」にインクリメントされ、ステップＳ３３でＮｏと判断され、ステップＳ３７に進む。ステップＳ３７では、Ｙｅｓと判断されるのでステップＳ３８に進み、図９（ｂ）で示すように被験者の全身モデルの図と測定部位毎の電気インピーダンスを表示装置１６に表示する。そしてステップＳ３９に進み、後述の部位データ表示のステップを経てステップＳ３５に戻る。
【００２８】
この電気インピーダンス表示中に表示切替キーが押されると、ステップＳ３１からステップＳ３２、Ｓ３３、Ｓ３７を経てステップＳ４０に進む。このときステップＳ４０では、Ｙｅｓと判断されステップＳ４１に進み、図９（ｃ）で示すように被験者の全身モデルの図と測定部位毎の体脂肪率を表示装置１６に表示する。そしてステップＳ３９と同様のステップＳ４２に進み、後述の部位データ表示のステップを経てステップＳ３５に戻る。
【００２９】
この体脂肪率表示中に表示切替キーが押されると、ステップＳ３１からステップＳ３２、Ｓ３３、Ｓ３７、Ｓ４０を経てステップＳ４３に進む。このときステップＳ４３では、Ｙｅｓと判断されステップＳ４４に進み、図９（ｄ）で示すように被験者の全身モデルの図と測定部位毎の体脂肪量を表示装置１６に表示する。そしてステップＳ３９と同様のステップＳ４５に進み、後述の部位データ表示のステップを経てステップＳ３５に戻る。この体脂肪量表示中に表示切替キーが押されると、ステップＳ３１からステップＳ３２、Ｓ３３、Ｓ３７、Ｓ４０、Ｓ４３を経てステップＳ４６に進む。このときステップＳ４６では、Ｙｅｓと判断されステップＳ４７に進み、図９（ｅ）で示すように被験者の全身モデルの図と測定部位毎の部分筋肉量を表示装置１６に表示する。そしてステップＳ３９と同様のステップＳ４８に進み、後述の部位データ表示のステップを経てステップＳ３５に戻る。
【００３０】
この部分筋肉量表示中に表示切替キーが押されると、ステップＳ３１からステップＳ３２、Ｓ３３、Ｓ３７、Ｓ４０、Ｓ４３、Ｓ４６を経てステップＳ４９に進み、表示カウンタを「０」にしてステップＳ３５に戻る。この時には表示カウンタが「０」であるので、ステップＳ３３からステップＳ３４に進み、数値表示に戻る。
【００３１】
次に図５を用いて、図４に示した部位データ表示のサブルーチンを説明する。図４のステップＳ３９、Ｓ４２、Ｓ４５、Ｓ４８はその処理内容が共通である。ステップＳ５０でまず図２の制御装置１３内の部位カウンタが「０」かどうかを判断するが、最初は部位カウンタが電源オン後の初期設定の値、即ち「０」であり、Ｙｅｓと判断され、ステップＳ５１で図９に示した部位切替スイッチが押されたかを判断し、押されていなければそのまま図４のステップＳ３５に戻る。ステップＳ５１で部位切替スイッチが押されていれば、Ｙｅｓと判断され、ステップＳ５２に進み、部位カウンタを「１」インクリメントする。ステップＳ５３では、部位カウンタが「１」であるのでステップＳ５４に進み、図１０（ａ）で示すように被験者の全身モデルの図と右手部位の測定データの全データを表示装置１６に表示する。そしてステップＳ５５で表示終了キーが押されたことを判断され、図４のステップＳ３５に戻らない限り、ステップＳ５０に戻り、その表示を継続する。
【００３２】
この右手のデータ表示中に部位切替キーが押されると、ステップＳ５８でＹｅｓと判断され、ステップＳ５２にて部位カウンタをインクリメントし、部位カウンタを「２」とする。この時にはステップＳ５３でＮｏとなり、ステップＳ５６でＹｅｓとなり、ステップＳ５７に進む。ステップＳ５７では、図１０（ｂ）で示すように被験者の全身モデルの図と右足部位の測定データの全データを表示装置１６に表示する。そしてステップＳ５５で表示終了キーが押されたことを判断され、図４のステップＳ３５に戻らない限り、ステップＳ５０に戻り、ステップＳ５０からステップＳ５８、Ｓ５３、Ｓ５６に進み、右足部の表示を継続する。この右足部の表示中に部位切替スイッチが押されていれば、ステップＳ５８でＹｅｓと判断され、ステップＳ５２に進み、部位カウンタを「１」インクリメントする。これにより、ステップＳ５３、Ｓ５６、Ｓ５９と進み、ステップＳ６０で左手部の全データが図１０（ｃ）に示すように表示される。
【００３３】
以下の説明は省略するが、左足部、頭部及び体幹部の全データも同様に図１０（ｄ）、図１０（ｅ）で示すように表示される。頭部及び体幹部のデータが表示中に部位切替キーが押されると、ステップＳ６３でＮｏと判断され、ステップＳ６５で部位カウンタが「０」に戻され、ステップＳ５５、Ｓ５０、Ｓ５１から図４に戻り、元の表示カウンタの数値表示状態に戻る。
【００３４】
なお、上述の実施例では、右手、右足、左手、左足、頭部及び体幹部の５箇所の測定部位の例で説明したが、これに限らずより少ない測定部位を表示してもよい。また、電気インピーダンス、体脂肪率、体脂肪量、筋肉量以外の測定結果を表示してもよい。
【００３５】
また、図３のステップＳ１９において、手用電極部８または９の内少なくとも一方が手から離れているか否かを、制御部１３内の接触判定部において両手間の導通を判定したが、少なくとも右手または左手のうち一方と他の生体部位とに接触する電極間の導通を判定しても良い。例えば、右手が手用電極部９から離れているか否かを確認するために、図３のステップＳ１１と同様にして右手右足間に対して、電極４ａ、９ａ間に電流を流し、電極４ｂ、９ｂ間で電圧を測定することにより右手右足間の導通を判定する。また、左手が手用電極部８から離れているか否かを確認するために、図３のステップＳ１２と同様にして左手左足間に対して、電極８ａ、３ａ間に電流を流し、電極８ｂ、３ｂ間で電圧を測定することにより左手左足間の導通を判定する。これにより、右手右足間または左手左足間の内少なくとも一方の導通がないと判定されたときに、ステップＳ２０と同様に結果表示しても良い。また、右手左足間または左手右足間のうち少なくとも一方の導通を判定するものであっても同様のことが言える。
【００３６】
また、前記両手間、右手右足間、左手左足間、右手左足間及び左手右足間の全ての導通がないと判定されたときに、結果表示しても良い。
【００３７】
更に、右手右足間または左手左足間の導通を判定する前に、右手の筋肉量と左手の筋肉量とを比較し、筋肉量の多い方を利き腕と見なし、前記制御部１３内の接触判定部において、前記利き腕と判定された方の手から手用電極が離れているか否かを判定しても良い。これにより、前記利き腕はタッチパネルを操作する確立の高い方の手であると考えられるため、前述のように右手右足間と左手左足間との両方の導通を判定する必要がなく、操作する方の手が空いたらすぐに結果表示されるため、より早いタイミングでスムーズな操作が可能である。
【図面の簡単な説明】
【００３８】
【図１】測定装置の斜視図である。
【図２】測定装置の電気ブロック図である。
【図３】測定装置のフローチャート図である。
【図４】測定装置のフローチャート図である。
【図５】測定装置のフローチャート図である。
【図６】表示装置の表示画面を示す図である。
【図７】表示装置の表示画面を示す図である。
【図８】表示装置の表示画面を示す図である。
【図９】表示装置の表示画面を示す図である。
【図１０】表示装置の表示画面を示す図である。
【符号の説明】
【００３９】
１  測定装置
２  体重計
３、４、８、９  電極部
３ａ、３ｂ、４ａ、４ｂ、８ａ、８ｂ、９ａ、９ｂ  電極
５  電源スイッチ
６  印刷装置
７  表示兼入力装置
１０  電極切替装置
１１  電流供給装置
１２  電圧測定装置
１３  制御装置
１４  記憶装置
１５  入力装置
１６  表示装置
１７  入出力制御装置
１８  電源装置
【図１】
2006198061.tif 000003
【図２】
2006198061.tif 000004
【図３】
2006198061.tif 000005
【図４】
2006198061.tif 000006
【図５】
2006198061.tif 000007
【図６】
2006198061.tif 000008
【図７】
2006198061.tif 000009
【図８】
2006198061.tif 000010
【図９】
2006198061.tif 000011
【図１０】
2006198061.tif 000012